(57)【要約】      （修正有）【課題】バキュームクリーナー及び粉塵除去装置を提供する。【解決手段】ごみ捕集分離モジュールは、内容物排出プロセスの間、空中に漂う細かな塵芥を吸い込むように、タンクの外周部の周りに吸引空気流を発生させることができる。さらに、リムの周りのごみ箱吸引ノズル３０、ハンドバキュームドッキングステーション、及び副吸引ノズルがハンドバキュームに流体的に結合されている。【選択図】図１
0003224651.tif 000002
【実用新案登録請求の範囲】
【請求項１】
主吸引ノズルと、
前記主吸引ノズルに流体的に結合されるとともに作用空気流を生成するように構成されている第１の吸引源と、
前記作用空気流から混入物質を分離するように構成されている分離モジュールであって、
分離モジュールハウジングと、
前記分離モジュールハウジング内に画定されるとともに、前記主吸引ノズルと流体連通する空気入口を有する、少なくとも１つの分離チャンバーと、
該分離モジュール内に画定されるとともに、前記少なくとも１つの分離チャンバーと流体的に結合される、少なくとも１つの捕集チャンバーであって、前記少なくとも１つの分離チャンバーによって分離された混入物質を収納するように構成されている、少なくとも１つの捕集チャンバーと、
扉であって、該扉が前記少なくとも１つの捕集チャンバーに対する底面を少なくとも部分的に画定する閉位置と、デブリを排出することができる開位置との間で移動可能な扉と、
前記分離モジュールハウジングの下端部の少なくとも一部に隣接して配置されるとともに、デブリを吸い込むように適合されている副吸引ノズルと、
を備える、分離モジュールと、
を備える、バキュームクリーナー。
【請求項２】
前記副吸引ノズルは、前記分離モジュールハウジングの前記下端部の外周部の少なくとも一部の周りに配置される、請求項１に記載のバキュームクリーナー。
【請求項３】
前記扉は、少なくとも１つのヒンジピンを含むヒンジによって、前記分離モジュールハウジングの前記下端部に旋回可能に装着される、請求項１又は２に記載のバキュームクリーナー。
【請求項４】
前記少なくとも１つのヒンジピンに設けられるとともに、前記扉が前記開位置に移動する速度を下げるように構成されている、少なくとも１つの回転ダンパーを更に備える、請求項３に記載のバキュームクリーナー。
【請求項５】
前記副吸引ノズルは、前記ヒンジに隣接して配置されない、請求項３又は４に記載のバキュームクリーナー。
【請求項６】
前記分離モジュールハウジングに設けられるとともに前記副吸引ノズルと流体的に結合される副吸引ファンアセンブリを更に備える、請求項２〜５のいずれか１項に記載のバキュームクリーナー。
【請求項７】
前記分離モジュールハウジングの側壁に設けられるダクトであって、前記副吸引ファンアセンブリと前記副吸引ノズルとを流体的に結合するダクトを更に備える、請求項６に記載のバキュームクリーナー。
【請求項８】
前記副吸引ノズルは、前記ダクトに流体的に結合される複数の開口部を有する、請求項７に記載のバキュームクリーナー。
【請求項９】
前記扉に解除可能に係合するように構成されているレバーを更に備える、請求項６〜８のいずれか１項に記載のバキュームクリーナー。
【請求項１０】
前記副吸引ファンアセンブリのファンは、前記レバーと電気的に結合され、前記ファンのパワースイッチは、前記扉が前記レバーを介して前記閉位置から解放されると作動される、請求項９に記載のバキュームクリーナー。
【請求項１１】
前記副吸引ファンアセンブリは、前記ファンの下流に配置されるフィルターを更に備える、請求項１０に記載のバキュームクリーナー。
【請求項１２】
前記分離モジュールは、前記副吸引ノズルと前記第１の吸引源との間に流体的に結合されるダクトを更に備える、請求項１又は２に記載のバキュームクリーナー。
【請求項１３】
前記作用空気流を前記分離モジュールの前記空気入口から前記副吸引ノズルに方向転換するように構成されている空気流ダイバーターを更に備える、請求項１２に記載のバキュームクリーナー。
【請求項１４】
前記空気流ダイバーターは、前記主吸引ノズルが配置されているバキュームハウジングから前記分離モジュールが取り外されている場合に、前記作用空気流を方向転換するように構成されている、請求項１３に記載のバキュームクリーナー。
【請求項１５】
前記第１の吸引源と電気的に結合されるとともに、作動されると前記第１の吸引源に通電するように構成されているバッテリーパックを更に備える、請求項１４に記載のバキュームクリーナー。
【請求項１６】
前記副吸引ノズルは、複数の開口部を有する、請求項１〜１５のいずれか１項に記載のバキュームクリーナー。
【請求項１７】
排気グリルアセンブリを更に備え、
該排気グリルアセンブリは、前記作用空気流を通すことができる開口部を有する排気グリルであって、前記作用空気流が空気出口に到達する前に該排気グリルの前記開口部を通るように、前記空気出口の流体的に上流において前記少なくとも１つの分離チャンバー内に装着される、排気グリルと、
細長いデブリが前記排気グリルに巻き付いて前記排気グリルの前記開口部を閉塞することを防止する、前記少なくとも１つの捕集チャンバー内で前記排気グリルの下方に延在する複数のデブリ捕獲タインと、を含む、請求項１〜１６のいずれか１項に記載のバキュームクリーナー。
【請求項１８】
前記デブリ捕獲タインは、前記少なくとも１つの捕集チャンバーの底壁から離隔した自由末端部を有し、前記デブリ捕獲タインは、鉛直方向に配向されている、請求項１７に記載のバキュームクリーナー。
【請求項１９】
前記少なくとも１つの分離チャンバーを前記少なくとも１つの捕集チャンバーから分離する、前記排気グリルの下部における分離器プレートを更に備え、前記デブリ捕獲タインは、該分離器プレートから垂下する、請求項１８に記載のバキュームクリーナー。
【請求項２０】
前記分離モジュールは、前記排気グリルの流体的に下流かつ前記分離モジュールハウジングの前記空気出口の流体的に上流における少なくとも１つの更なる分離チャンバーを備えるマルチステージ分離モジュールを含む、請求項１７に記載のバキュームクリーナー。
【考案の詳細な説明】
【技術分野】
【０００１】
本考案は、バキュームクリーナー及び塵煙低減装置に関する。
【０００２】
［関連出願の相互参照］
本願は、２０１８年６月２０日付で出願された米国仮特許出願第６２／６８７，４５５号の利益を主張し、その全体が引用することにより本明細書の一部をなす。
【背景技術】
【０００３】
バキュームクリーナーは、直立ユニット又はポータブル手持ちユニットとして具現化することができる。いくつかの例において、バキュームクリーナーは、直立クリーニングモードと、クリーニング作業に用いられるバキュームクリーナーから比較的小さなポッド又は手持ちユニットが取り外される持上げモードとの間で再構成可能とすることができる。
【０００４】
バキュームクリーナーは、作用空気流からごみ及び他のデブリを取り除くために、様々なごみ分離器を用いる。一部のごみ分離器は、１つ以上の円錐台形の分離器を用い、他のごみ分離器は、空気／ごみの高速回転運動を用いて、遠心力によってごみを分離する。作用空気は、ごみ分離器を出る前に、排気グリルを通って流れることができる。
【０００５】
作用空気流から取り除かれたごみを捕集するために、集塵機を設けることができ、集塵機は、ごみ分離器とは別個とすることもできるし、ごみ分離器と一体とすることもできる。ごみ分離器と集塵機とが別個であるバキュームクリーナーでは、集塵機は、ごみ分離器を取り外すことなく、捕集されたごみを排出するためにバキュームクリーナーから取外し可能とすることができる。ごみ分離器と集塵機が一体であるバキュームクリーナーでは、捕集されたごみを排出するために、分離器／捕集器のアセンブリ全体をバキュームクリーナーから取外し可能とすることができる。この場合、大抵はアセンブリの底壁がごみ排出扉として機能し、この底壁には、蓄積した内容物を排出するためにごみ排出扉を開く解放機構が設けられる。
【０００６】
ごみ分離器は、作用空気流から全てのごみを取り除かないこともある。さらに、集塵機における渦空気流により、分離されたごみが作用空気流に再び混入することがある。またさらに、バキュームクリーナーから集塵機を取り外して、蓄積した内容物を排出する際に、細かな埃の噴出が集塵機から放出されることがある。
【考案の概要】
【０００７】
本開示の態様は、主吸引ノズルと、主吸引ノズルに流体的に結合されるとともに作用空気流を生成するように構成されている第１の吸引源と、作用空気流から混入物質を分離する分離モジュールであって、分離モジュールハウジングと、分離モジュールハウジング内に画定されるとともに、主吸引ノズルと流体連通する空気入口を有する、少なくとも１つの分離チャンバーと、分離モジュール内に画定されるとともに、少なくとも１つの分離チャンバーと流体的に結合される、少なくとも１つの捕集チャンバーであって、少なくとも１つの分離チャンバーによって分離された混入物質を収納するように構成されている、少なくとも１つの捕集チャンバーと、扉であって、扉が少なくとも１つの捕集チャンバーに対する底面を少なくとも部分的に画定する閉位置と、デブリを排出することができる開位置との間で移動可能な扉と、分離モジュールハウジングの下端部の少なくとも一部に隣接して配置されるとともに、デブリを吸い込むように適合されている副吸引ノズルとを備える、分離モジュールとを備える、バキュームクリーナーに関する。
【図面の簡単な説明】
【０００８】
【図１】本明細書に記載される様々な態様に係る分離モジュールを備えるバキュームクリーナーの斜視図である。
【図２】図１の線ＩＩ−ＩＩで切断した分離モジュールの断面図である。
【図３】分離モジュールの副吸引ファンを示す、図１の分離モジュールの分解斜視図である。
【図４】動作時の分離モジュールにおけるデブリの捕集を示すために分離モジュールの一部が仮想線で示されている、図１の分離モジュールの斜視図である。
【図５】扉が開位置にあり、分離モジュールを通る空気流を示す、図１の分離モジュールの正面図である。
【図６】本明細書に記載される様々な態様に係るごみ箱（trash can）ドッキングステーションの斜視図である。
【図７】ハンドバキュームがドッキングされており、ドッキングステーションへの空気流を示す、図６のごみ箱ドッキングステーションの斜視図である。
【図８】本明細書に記載される様々な態様に係る分離モジュールを備えるバキュームクリーナーの正面図である。
【図９】図８の線ＩＸ−ＩＸで切断した分離モジュールの概略断面図である。
【図１０】本明細書に記載される様々な態様に係る付属ホースを伴う、図８の分離モジュールの概略側面図である。
【図１１】本明細書に記載される様々な態様に係るダンパーを備える、バキュームクリーナー分離モジュールの正面図である。
【考案を実施するための形態】
【０００９】
本明細書に記載される態様は、バキュームクリーナーに関し、特に、バキュームクリーナーと、塵煙を低減するように構成されているアクセサリー（補器）とに関する。
【００１０】
１つの態様において、ごみ捕集分離モジュールは、内容物排出プロセスの間、空中に漂う細かな塵芥を吸引するように、モジュールの外周部の周りに吸引空気流を発生させる。
【００１１】
別の態様において、ごみ箱は、吸引ノズルと、ハンドバキュームドッキングステーションと、ハンドバキュームを流体的に結合することができる副吸引ノズルとを備える。
【００１２】
更に別の態様において、ごみ捕集分離モジュールは、モジュールの外周部の周りの副吸引ノズルと、空気を分離器入口から副吸引ノズルに方向転換するように構成されている空気ダイバーターバルブとを備える。
【００１３】
更に別の態様において、ごみ捕集分離モジュールは、内容物排出プロセスの間、扉が開く速度を下げて塵煙を低減するように、扉ヒンジに回転ダンパーを備える。
【００１４】
図面、特に図１を参照すると、直立バキュームクリーナー１０は、足部（フット）アセンブリ１４に旋回可能に装着される直立ハンドルアセンブリ１２を備える。ハンドルアセンブリ１２は、ユーザーによる移動を容易にするように一端部にグリップ１８を備える主支持部１６を更に有する。ハンドルアセンブリ１２の反対側の端部には、バキュームファン／モーターアセンブリ（図示せず）等の従来の吸引源を収容するモーターキャビティ２０が形成される。ハンドルアセンブリ１２には、ポストモーターフィルターハウジング２２も設けられ、ポストモーターフィルターハウジング２２は、バキュームファン／モーターアセンブリと流体連通する。
【００１５】
ハンドルアセンブリ１２は、バキュームファン／モーターアセンブリと連動するモーターシャフト（図示せず）と同軸の旋回軸によって、足部アセンブリ１４に対して旋回する。代替的には、ハンドルアセンブリ１２は、多軸ジョイントによって足部アセンブリ１４に結合することができる。
【００１６】
ハンドルアセンブリ１２の主支持部１６における装着部２４には、後で廃棄されるように作用空気流から混入物質を分離及び捕集する捕集システム２１４を収納することができる。本明細書に示される１つの従来の構成において、捕集システム２１４は、サイクロン分離モジュールとして示されている。しかしながら、遠心分離器又はバルク分離器等の他のタイプの分離モジュールを使用することができることが理解される。バキュームクリーナー１０には、捕集システム２１４の上流又は下流における１つ以上の更なるフィルターを設けることもできる。
【００１７】
足部アセンブリ１４は、ハウジング２８を備え、ハウジング２８は、ハウジング２８の下面に形成されるとともに、バキュームファン／モーターアセンブリと流体連通する吸引ノズル３０を備える。図示されていないが、アジテーターを、吸引ノズル３０に隣接してハウジング２８内に配置し、バキュームクリーナー分野で一般的であるように伸縮ベルトを介して、専用のアジテーターモーターに又はモーターキャビティ２０内のバキュームファン／モーターアセンブリに作動的に接続することができる。足部アセンブリ１４の後方部分には、リヤホイール３２が取り付けられ、足部アセンブリ１４の前方部分には、足部アセンブリ１４を被洗浄面上で移動させるための１対の支持ホイール（図示せず）が取り付けられる。
【００１８】
図２は、図１の線ＩＩ−ＩＩを通る断面図である。分離モジュール２１４は、ハウジング２１６を備え、ハウジング２１６は、ハウジング２１６の上部に配置されるキャリーハンドル２２０を有する外側カバー２１８を備える。キャリーハンドル２２０は、分離モジュール２１４をバキュームクリーナー１０（図１）に解除可能に固定するラッチ２１９を有することができる。分離モジュール２１４は、ヒンジ２２４によってハウジング２１６の下端部に取り付けられる、旋回可能に装着される底扉２２２を更に有する。分離モジュール２１４がバキュームクリーナーから取り外されたら、底扉２２２を解放することによって、分離モジュール２１４内に捕集されているデブリを排出することができる。ヒンジ２２４の反対側には、旋回レバー２２６が設けられ、旋回レバー２２６は、底扉２２２を選択的に開くとともにハウジング２１６の内容物を排出するように、底扉２２２に解除可能に係合する。
【００１９】
ハウジング２１６は、１次分離チャンバー２２８を備える１次分離ステージと、複数の２次サイクロン分離器２３０を備える２次分離ステージとを画定することができる。図２は、１つのみの２次サイクロン分離器２３０を示しているが、２つ以上の２次サイクロン分離器２３０が存在してもよい。１次分離チャンバー２２８は、概ねモジュール２１４の中心長手軸に沿って延在する、ハウジング２１６の略円筒形の１次分離器の側壁２３２によって画定される。側壁２３２の上部には、１次分離チャンバー２２８への作用空気入口２３４が形成され、作用空気入口２３４は、１次分離チャンバー２２８につながる螺旋状空気入口通路と連通する。空気入口２３４は、分離モジュール２１４がバキュームクリーナー１０に装着されている場合、吸引ノズル３０（図１）と流体連通する。
【００２０】
グリルアセンブリ２４８は、流体的に１次分離チャンバー２２８の下流かつ２次サイクロン分離器２３０の上流に配置することができる。グリルアセンブリ２４８は、支持フレームと、支持フレームに巻き付けられるメッシュスクリーンとを必要に応じて備えることができる。
【００２１】
作用空気流路は、モジュール２１４を通って、入口２３４から空気出口２３８まで延在する。空気出口２３８は、分離モジュール２１４がバキュームクリーナー１０に装着されている場合、キャビティ２０（図１）内のバキュームファン／モーターアセンブリと流体連通する。作用空気は、入口２３４に入った後、１次分離チャンバー２２８と、グリルアセンブリ２４８と、２次サイクロン分離器２３０と、必要に応じて排気フィルター２３９とを順に通って進み、その後、空気出口２３８を通って出る。
【００２２】
１次分離チャンバー２２８によって分離されたデブリは、ハウジング２１６の底部で第１の捕集チャンバー２４０内に堆積する。２次サイクロン分離器２３０によって分離されたデブリは、１つ以上の第２の捕集チャンバー２４２（図４）内に堆積する。２つの捕集チャンバー２４２を設けることができ、各捕集チャンバー２４２は、側壁２３２の外側に設けられる２次サイクロン分離器２３０からのデブリを受け取るが、捕集チャンバー及び分離器の他の構成が可能である。１つの例において、これらの２つの捕集チャンバー２４２は、側壁２３２の外周部の周りで離隔される。各捕集チャンバー２４０、２４２は、底縁部が開口しており、扉２２２によってまとめて閉鎖され、扉２２２は、閉鎖されると捕集チャンバー２４０、２４２の底部を形成する。
【００２３】
分離モジュール２１４は、複数のデブリ捕獲タイン２６０を更に備えることができ、これらのデブリ捕獲タイン２６０は、グリルアセンブリ２４８から垂下して、捕集チャンバー２４０内へ下方に延在することができる。タイン２６０は、自由末端部を有することができる。タイン２６０の末端部は、ハウジング２１６の底扉２２２から離隔されている。タイン２６０は、鉛直に、すなわち分離モジュール２１４の中心軸に対して平行に配向されている。
【００２４】
デブリガード２８２を、円形の群をなすタイン２６０の内側でグリルアセンブリ２４８の下に装着して、タイン２６０とグリルアセンブリ２４８との間にデブリが入り込んで詰まるのを防止することができる。１つの例において、デブリガード２８２は、平坦である。しかしながら、デブリガード２８２は、例えば、群をなすタイン２６０の中央における凸状若しくはドーム状の部材、凹状の部材、又はそれらの組み合わせ等の他の形状を有することができる。
【００２５】
鉛直のタイン２６０に加えて、分離モジュール２１４は、ハウジング２１６の底扉２２２に１つ又は複数の第２のデブリ捕獲タイン２１０を更に備えることができる。デブリ捕獲タイン２１０は、毛髪等の細長いデブリを捕集チャンバー２４０に捕集するように構成することができる。より具体的には、タイン２１０は、底扉２２２に配置されていて、チャンバー２２８の下方にあるタイン２６０の自由末端部の方に捕集チャンバー２４０内上方に伸張している。タイン２１０は、扉２２２に対して鋭角に、すなわち扉２２２の内面に対して平行でないように配向することができる。タイン２１０は、金属又はプラスチックで作製することができる。
【００２６】
ハウジング２１６の、例えば、側壁２３２に副吸引ファンアセンブリ２９０を設けることができ、副吸引ファンアセンブリ２９０は、副吸引ノズル２２５と流体連通することができる。図３は、副吸引ファンアセンブリ２９０を更に詳細に示している。吸引ファンアセンブリ２９０は、ダクト２９２を備えることができ、ダクト２９２は、ハウジング２１６の側壁２３２の外側に設けられ、副吸引ノズル２２５と流体連通する。
【００２７】
ハウジングの側壁２３２に吸引導管２２７を配置することができ、吸引導管２２７は、副吸引ノズル２２５と流体連通するか又は副吸引ノズル２２５を形成することができる。本明細書に示されるように、吸引ノズル２２５は、吸引導管２２７への入口を画定することができ、ハウジング２１６の底部の外周部の周りに配置される１つ以上の開口部として形成することができる。吸引導管２２７は、ハウジング２１６と一体に形成することができ、ハウジング２１６の底部の外周部の周りに少なくとも部分的に伸張することができる。副吸引ノズル２２５をダクト２９２に流体的に結合するように、吸引導管２２７の出口２２９をダクト２９２内に設けることができる。吸引導管出口２２９は、ダクト２９２と側壁２３２との間の開口部として形成することができる。
【００２８】
ファン２９４は、吸引導管２２７内に吸引力を発生させるようにダクト２９２内に収納される。ファン２９４に隣接して、例えばファン２９４の下流側に、フィルター２９６を設けることができ、ファン２９４及びフィルター２９６をダクト２９２内に保持するために、フィルター２９６を覆うようにカバー２９８を配置することができる。さらに、ファン２９４は、ねじ等のような締結具によってダクト２９２内に保持することができる。カバー２９８は、図示のメッシュスクリーンのように、空気流が吸引ファンアセンブリ２９０から出ることを可能にするように構成されている複数の開口部又は孔を有することができる。
【００２９】
１つの例において、扉２２２が開かれたらファン２９４が自動的に通電され得るように、旋回レバー２２６を吸引ファンアセンブリ２９０と電気的に結合することができる。このことは、モジュール２１４の内容物が排出されているときにファン２９４が自動的に通電されることから有利である。
【００３０】
図４は、動作時の分離モジュール２１４におけるデブリの捕集を示す、分離モジュール２１４の斜視図である。動作時において、デブリは、捕集チャンバー２４０、２４２内に堆積し、デブリは、タイン２６０、２１０に保持される糸状又は細長いデブリ７４と、捕集チャンバー２４０、２４２の底部に捕集される埃等の粒子状デブリ７６とを含み得る。
【００３１】
図５を参照すると、分離モジュール２１４の内容物が排出される場合、扉２２２が開かれ、粒子状デブリ７６（図４）が、捕集チャンバー２４０、２４２の開いた底部から落下する。扉２２２を完全に開くと、デブリ７４はタイン２６０、２１０から離脱又は落下するが、必要であれば、ユーザーはタイン２６０、２１０からデブリを払い落とす又は手作業で拭き取ることができる。さらに、埃又は塵芥等の粒子状デブリ７６は、扉２２２が開かれる際に塵煙をなす可能性がある。
【００３２】
内容物排出時にファンアセンブリ２９０を作動させることで、矢印ＡＩで示されているように、吸引導管２２７によって形成されている副吸引ノズル２２５に空気流が引き込まれる。１つの例において、旋回レバー２２６が押されて扉２２２が開かれると、ファン２９４のパワースイッチを作動させることができる。パワースイッチは、モーメンタリースイッチ又はプッシュプッシュオンオフスイッチとして構成することができる。空気流ＡＩは、塵煙を形成しているデブリ７６を、吸引ノズル２２５に引き込んで吸引導管出口２２９（図３）を介してダクト２９２に通すことができ、ここで上記デブリ７６をフィルター２９６によって捕獲することができる。濾過された空気流は、その後、矢印ＡＯで示されているようにカバー２９８を通って出る。
【００３３】
カバー２９８は、フィルター２９６にアクセスするために取外し可能とすることができる。例えば、ユーザーは、混入したデブリ７６を洗浄除去してフィルター２９６を清浄化するために、フィルター２９６を定期的に取り外すことを望み得る。代替的には、フィルター２９６は、使い捨てであり、交換可能とすることができる。
【００３４】
図６は、ハンドバキューム３００のドッキングステーション３８０を備えるごみ箱３４０を示している。ドッキングステーション３８０は、充電ベースとしても機能することができ、この充電ベースにおいて、ドッキングステーション３８０上の充電接点３４６がハンドバキューム３００上の充電接点（図示せず）と係合して、ハンドバキューム３００をごみ箱３４０に電気的に結合することができる。ごみ箱３４０は、バッテリー又は壁コンセント等の家庭用電源等の電源（図示せず）に更に接続することができ、ハンドバキューム３００に搭載されている電源を充電するためにＡＣ電圧をＤＣ電圧に変換する変換器を備えることができる。
【００３５】
ごみ箱３４０は、ヒンジ３７４によって開位置と閉位置との間で旋回可能な蓋３７０を備えることができる。蓋３７０は、蓋３７０をハンズフリーで開くことができるように、ごみ箱３４０のフットペダル３５２と作動的に結合することができる。蓋３７０は、ごみ箱３４０内部からの悪臭を抑えるように、芳香／オゾン放出器３７２を備えることができる。
【００３６】
ごみ箱３４０は、ドッキングステーション３８０と流体電通する複数の吸引ポート３６０を更に備えることができる。吸引ポート３６０は、ハンドバキューム３００がドッキングステーション３８０にドッキングされている場合、導管又はプレナム（図示せず）を介してハンドバキューム３００と流体連通することができる、副吸引ノズルを形成することができる。吸引ポート３６０は、ハンドバキューム３００の吸引モーター（図示せず）が作動されている場合、空気流を引き込むことができる。ドッキングステーション３８０は、ハンドバキューム３００がドッキングされる際、ハンドバキューム３００の吸引ノズル入口３０２と係合するように構成されている、ドッキングポート３８２を備える。ドッキングポート３８２は、導管又はプレナム（図示せず）を介して吸引ポート３６０と流体連通する。
【００３７】
１つの例において、フットペダル３５２の上昇した上部３５０が押下されると、吸引モーターを作動させることができる。フットペダル３５２が押下されることで、上部３５０が同時に押下されない場合には吸引モーターを作動させることなく、蓋３７０を開くことができる。
【００３８】
吸引ポート３６０は、ごみ箱３４０の頂部の外周部におけるリム３６２に又はリム３６２の近くに配置することができる。ドッキングポート３８２は、ドッキングステーション３８０に又はドッキングステーションの下方に配置することができる。
【００３９】
さらに、ごみ箱３４０の底部の外周部３４２は、ドッキングポート３８２と流体連通することができる塵取りノズル３４４を備えることができる。図７を参照すると、ハンドバキューム３００がドッキングステーション３８０にドッキングされている場合、塵取りノズル３４４は、ハンドバキューム３００と流体連通する。ハンドバキューム３００の吸引モーター（図示せず）は、矢印ＡＩで示されているように、空気流を塵取りノズル３４４に引き込むように作動することができる。１つの例において、フットペダル３５２の上昇した上部３５０は、フットペダル３５２を押下することなく作動又は押圧することができる。したがって、蓋３７０を閉位置に維持することができ、デブリを、吸引ポート３６０（図６）を通してではなく塵取りノズル３４４を介してごみ箱３４０に吸い込むことができる。ユーザーは、所望により、デブリを塵取りノズル３４４に吸い込みやすくするために、ごみ又はデブリを手作業で塵取りノズル３４４に向けて掃くことができる。
【００４０】
図８〜図１０は、バキュームファン／モーターアセンブリ４５６を保持する分離モジュール４２６を備えるバキュームクリーナー４１０を示している。図８は、バキュームクリーナー４１０の正面図である。バキュームクリーナー４１０は、足部アセンブリ４１４に旋回可能に装着される直立ハンドルアセンブリ４１２を備えることができる。ハンドルアセンブリ４１２は、ユーザーによる移動を容易にするように一端部にグリップ４１８を備える主支持部４１６を更に有することができる。バキュームファン／モーターアセンブリ４５６が分離モジュール４２６に保持されているので、分離モジュール４２６は、持上げ又は手持ちバキュームクリーニングユニットとして使用されるようにハンドルアセンブリ４１２から取り外すことができる。
【００４１】
足部アセンブリ４１４は、ハウジング４２８を備えることができ、ハウジング４２８は、ハウジング４２８の下面に形成されるとともに、バキュームファン／モーターアセンブリと流体連通する吸引ノズル４３０を備える。アジテーター４３１を、吸引ノズル４３０に隣接してハウジング４２８内に配置して、専用のアジテーターモーター（図示せず）に作動的に接続することができる。
【００４２】
図９は、図８の線ＩＸ−ＩＸで切断した分離モジュール４２６の概略断面図である。分離モジュール４２６は、空気ダクト４５０及び空気流ダイバーター４７８を備えることができる。空気流ダイバーター４７８は、バキュームファン／モーターアセンブリ４５６から、分離モジュール４２６の入口４５２に向けてではなく、分離モジュール４２６の底部におけるデブリ出口４４１の周囲のプレナムリング４４４に向けて、吸引を方向付けることができる。プレナムリング４４４は、複数の吸引ポート４４６を有することができる。
【００４３】
図９に示されているように、分離モジュール４２６が直立ハンドルアセンブリ４１２から取り外されて、分離モジュール４２６の底扉４４０が開かれると、バキュームファン／モーターアセンブリ４５６に通電することができる。バキュームファン／モーターアセンブリ４５６が通電されると、空気流を、矢印ＡＩで示されるように吸引ポート４４６を介して空気ダクト４５０に引き込むことができる。１つの例において、バッテリーパック４５８は、バキュームファン／モーターアセンブリ４５６に通電することができる。扉４４０を開く際に塵煙が生成されても、塵芥又はデブリを空気ダクト４５０に吸い込むことができ、ここで、塵芥又はデブリをプレモーターフィルター４５４に更に集積させることができ、濾過された空気は、矢印ＡＯによって示されているように分離モジュール４２６から流れ出ることができる。ユーザーは、混入したデブリを洗浄除去してフィルター４５４を清浄化するために、フィルター４５４を定期的に取り外すことを望み得る。
【００４４】
図１０は、付属ホース４７２と結合された、図８の分離モジュール４２６の概略側面図である。分離モジュール４２６は、ポータブル又は手持ちバキュームクリーニングユニットとして使用するために、直立ハンドルアセンブリ４１２から必要に応じて取り外すことができる。この場合、付属ホース４７２の入口４７４は、バキュームクリーニングユニットを通る空気流路への入口として機能する。付属ホース４７２が入口４５２を介して分離モジュール４２６と結合されている場合、空気流ダイバーター４７８は、分離モジュール４２６が直立ハンドルアセンブリ４１２に結合されている場合に矢印ＡＩで示される空気流が方向付けられるのと同じように、空気流を分離モジュール４２６に通して方向付けることができる。空気流は、プレモーターフィルター４５４によって濾過されると、矢印ＡＯで示されているように、分離モジュール４２６から出るように更に方向付けられる。
【００４５】
図１１は、ダンパー５６０を備える分離モジュール５３４の正面図である。分離モジュール５３４は、ハウジング５３６を備え、ハウジング５３６は、ハウジング５３６の上部に配置されるキャリーハンドル５３８と、ヒンジピン５６２を含むヒンジによってハウジング５３６の下端部に取り付けられる、旋回可能に装着される底扉５４０とを備える。旋回レバー５２０は、底扉５４０を選択的に開くとともにハウジング５３６の内容物を排出するように底扉５４０に解除可能に係合し、旋回レバー５２０は、ヒンジピン５６２の反対側に設けることができる。
【００４６】
ヒンジピン５６２にダンパー５６０を備え付けて、扉５４０が開く速度を下げ、その結果、モジュール５３４の内容物を排出する際に生成される塵煙の量を減少させることができる。ダンパー５６０は、任意の好適な制動方法に基づくことができ、摩擦又はビスカスカップリングに限定されない。
【００４７】
上述の態様は、分離モジュールの内容物を排出する際の塵煙の減少を含む、様々な利益を提供する。これらの特徴は、単独で又は組み合わされて、バキュームクリーナーの優れた分離モジュールを創出する。塵煙により、分離モジュールの内容物が排出されている場所において塵芥がユーザーに降り掛かる又はごみ箱の外側の周囲に堆積する可能性がある。したがって、本明細書に記載されている態様の実施に際して、塵煙が低減されるため、分離モジュールの内容物を排出する際にユーザーがより快適な経験を得ることができるという１つの利点を実現することができる。
【００４８】
本考案を或る特定の実施形態に関して具体的に記載したが、これは限定ではなく例示のためのものであることが理解される。例えば、本明細書に記載されている態様に係る副吸引ノズルは、任意の好適な分離モジュール及びバキュームクリーナー内に設けることができる。さらに、回転ダンパーは、図示のような分離器モジュールだけではなく、任意の分離器モジュールの扉に設けることができる。添付の特許請求の範囲に規定される本考案の趣旨から逸脱することなく、上記の開示及び図面の範囲で合理的な変形及び変更が可能である。したがって、本明細書に開示されている実施形態に関する特定の寸法及び他の物理的特徴は、請求項において別段の明確な記述がない限り、限定とみなされるべきでない。
【図１】
0003224651.tif 000003
【図２】
0003224651.tif 000004
【図３】
0003224651.tif 000005
【図４】
0003224651.tif 000006
【図５】
0003224651.tif 000007
【図６】
0003224651.tif 000008
【図７】
0003224651.tif 000009
【図８】
0003224651.tif 000010
【図９】
0003224651.tif 000011
【図１０】
0003224651.tif 000012
【図１１】
0003224651.tif 000013